(57)【要約】【課題】床スラブと床下構造体とを振動絶縁接合し、しかも高さの低い組み立て簡易な制振・遮音構造にすることにより、制振性能、遮音性能及び歩行性能を高くし、しかも新築建造物では、床スラブを薄くしてコストを大幅に低減可能にし、リフォーム建造物では、既成の床スラブを活かし且つ必須の床上居住空間を確保できる画期的な制振・遮音装置を提供する【解決手段】建築物の床構造体の大引ビームの下部の任意の位置を支持する装置であって、前記大引ビームの下部を弾性緩衝体を介して載置支持する逆π型のビーム載置座面を有し、その両側部の各々に上部を装着する一対の座脚を有し、この各座脚の下部に装着し床スラブとの間に弾性緩衝体を介設したπ型の台座を有してなることを特徴とする制振・遮音装置。前記台座を繋ぎアームで連結した制振・遮音装置。【選択図】図６
2012122316.tif 000002
【特許請求の範囲】
【請求項１】
建築物の床構造体の大引ビームの下部の任意の位置を支持する装置であって、前記大引ビームの下部を弾性緩衝体を介して載置支持する逆π型のビーム載置座面を有し、その両側部の各々に上部を装着する一対の座脚を有し、この各座脚の下部に装着し床スラブとの間に弾性緩衝体を介設したπ型の台座を有してなることを特徴とする制振・遮音装置。
【請求項２】
前記台座を繋ぎアームで連結したことを特徴とする請求項１に記載の制振・遮音装置。
【発明の詳細な説明】
【技術分野】
【０００１】  コンクリート躯体の床スラブ（コンクリートスラブ）上の床下構造体を支持する制振性能、遮音性能及び歩行性能を高めた画期的な制振・遮音装置に関するものである。
【背景技術】
【０００２】  従来、床構造体は，例えば、正梁構造のコンクリート躯体を備えた建物では，その床スラブ上に複数の束を立てると共に躯体縁には，大引をアンカー止めし，さらにその大引上に根太をアンカー止めし，根太の上に床板体を敷設するなど一体的に結合した構造となっているため，床板体に加わる振動が，根太と大引と束から床スラブを介して増大し、他の居住空間特に階下の居住空間に大きな振動・騒音となって伝わる。このため床構造体には前記した振動・騒音に対する制振・遮音対策が必要となっている趨勢にある。【０００３】  このような趨勢において床構造体は、床板体から床下構造体を介して他の居住空間に伝わる振動騒音を低減するため、種々の改良を加えた制振・遮音床下構造の開発が進められてきた。【０００４】  その開発内容は、次の実用新案文献１〜実用新案文献１に記載の例のように、床スラブと前記床板体との間において、床下構造体の内部、前記床下構造体と床板体との間等に、適宜に空間部、空気流通隙間、弾性緩衝体（材）等を配置する等多義に亘っているがこれらの単なる採用によって、制振性能、遮音性能及び歩行性能を高めようとすると、床スラブから床板体までの高さが大幅に高くなり重量も増大する結果、床スラブも設計上スケールアップするなどの増強体としなければならない。一方、床上空間はこの床構造体に左右されずに居住のための必要な所要高さの空間を確保しなければならない制約を伴う。これらのことから床スラブ及び床構造体コストの低減が極めて困難なものとなっている。  更に、建造物の長寿命化推進や環境対策の観点から、建築物の改造規制や建築物における床スラブコンクリートのはつり作業及びはつり屑処分等が厳しく規制されている現状では、前記従来床構造から遮音床構造へのリフォームは、既成の床スラブを活かし且つ必須の床上居住空間を確保することを考慮すると極めて困難なものとなっている。
【先行技術文献】
【特許文献】
【０００５】
【特許文献１】特許第４２１９６５３号公報「束石の上に床材を敷設する建物の床改修工法」概要：床スラブ上に束石−木製の大引材−根太材−捨貼り材−フローリング材を順次敷設した床構造体の床改修工法で、束石、大引材、根太材を再利用し、束石上に高調整具と緩衝材を配置し、根太材の上に捨貼り材、フローリング材を敷設した床改修工法。
【特許文献２】実用新案第２６４６４６９号公報「ＲＣ構造のマンション等の集合住宅、体育館、事務所ビル、教室等の床構造」概要：コンクリートスラブ等の床基盤と床組材との間に加水分解緩衝材を設け、床組材上に通気手段を備えた捨張材及び仕上材と巾木を設けて床下と室内の空気流通を図った床構造。
【特許文献３】特許第２７１９５５０号公報「コンクリート建築物の床構造」概要：コンクリートスラブ上にプラスチックス発泡体を接合し、その上に下面空隙式床下地材と通気性材料と床仕上材を順次張設したコンクリート建築物の床構造。
【特許文献４】特開２００１−２６３４２０号公報「防振脚体および防振ユニット脚体」概要：防振脚体８は、弾性台座と、少なくとも上部側に支持体の螺着用ねじ部が形成された金属製の棒状脚体とから構成し、弾性台座に、棒状脚体の下端部を回転可能に上方から嵌入する凹部を形成する一方、棒状脚体に、脚体下端部の嵌入状態で弾性台座の上面に着座するフランジ体を連設し、このフランジ体またはフランジ体上部の棒状脚体部分と棒状脚体の上端とに、棒状脚体を回転操作するための工具の係止部を形成した防振脚体および防振ユニット脚体。
【特許文献５】特開２００１−８１８９１号公報「床スラブ上の遮音床構造」概要：各階を仕切り逆梁を一体に突設した水平躯体部分と，鉛直躯体部分と，この逆梁上に，大引と根太よりなる床枠を架設し，この床枠上に床体を敷設し，この床体上に床上空間を，また床体下に床下空間をそれぞれ形成してなる建物において，大引を弾性緩衝体を介して嵌着する金物を一対の立設ガイド片で支持し，前記大引の端縁と前記鉛直躯体部分との間に間隙を形成した遮音床構造。
【特許文献６】特開２０００−１１０３３１号公報「床材の施工方法」概要：床下地の上に複数の床材を接着敷設する床材の施工方法において、厚み０．４〜１．０ｍｍの合成樹脂発泡体両面粘着テープを床下地に１００〜３５０ｍｍ間隔で貼り、床材と床材の接合部に位置する床下地に接着剤を上記両面粘着テープより厚く塗布し、その上に床材を敷設する床材の施工方法。
【特許文献７】特開平８−４１８５号公報「建築物の床構造」概要：水平躯体上に突設の逆梁間に大引を架設し、大引上に根太を介して床材を支持する。大引の端部及び床材の端部と逆大梁との間に間隙を形成し、大引は弾性変形可能なΣ形鋼して遮音性を向上させた建築物の床構造。
【発明の概要】
【発明が解決しようとする課題】
【０００６】  本発明は、床スラブと床下構造体とを振動絶縁係合し、しかも高さの低い組み立て簡易な制振・遮音構造にすることにより、制振性能、遮音性能及び歩行性能を高くし、しかも新築建造物では、床スラブを薄くしてコストを大幅に低減可能にし、リフォーム建造物では、既成の床スラブを活かし且つ必須の床上居住空間を確保できる画期的な制振・遮音装置を提供するものである。
【課題を解決するための手段】
【０００７】  本発明の特徴とするところは、次の（１）〜（２）の通りである。（１）、建築物の床構造体の大引ビームの下部の任意の位置を支持する装置であって、前記大引ビームの下部を弾性緩衝体を介して載置支持する逆π型のビーム載置座面を有し、その両側部の各々に上部を装着する一対の座脚を有し、この各座脚の下部に装着し床スラブとの間に弾性緩衝体を介設したπ型の台座を有してなることを特徴とする制振・遮音装置。（２）、前記台座を繋ぎアームで連結したことを特徴とする制振・遮音装置。  本発明において弾性緩衝体の材質は、弾性クッション性があり好ましくは耐圧性や耐振性のある例えばシリコン樹脂や合成樹脂ゴム等の合成樹脂、或いは天然ゴム等の天然樹脂でよい。
【発明の効果】
【０００８】  本発明の制振・遮音装置は、実施例に具体的な効果を紹介したように、床下構造体の大引ビームを、組み立て簡易な軽量堅牢な防振及び遮音構造でしかも高さ調節可能に支持することにより、制振性能、遮音性能及び歩行性能を高くし、しかも新築建造物では、床スラブを薄くしてコストを大幅に低減可能にし、リフォーム建造物では、既成の床スラブを活かし且つ必須の床上居住空間を確保できる画期的な効果を呈する優れものである。
【図面の簡単な説明】
【０００９】
【図１】本発明の制振・遮音装置を適用した実施例を示す概略鳥瞰図。
【図２】図１の大引ビーム２１０に沿った横断側面図。
【図３】図２の円Ａ内の側面拡大説明図。
【図４】図２の矢視Ｂ−Ｂからの断面説明図。
【図５】図２の矢視Ｃ−Ｃからの断面説明図。
【図６】大引ビームの各種横断面構造例を示す説明図である。
【発明を実施するための形態】
【００１０】発明を実施するための形態を次の実施例と共に詳細に説明する。
【実施例】
【００１１】  本発明の制振・遮音装置の実施例をその適用床構造体とともに図１〜図６と共に詳細に説明する。  図１〜図６において、建築物の床構造体は、床スラブ３００の上に配置の床下構造体２００と床板体１００とその間を振動絶縁する上振動絶縁接続部と下振動絶縁接続部とからなる。床板体１００は、木製のパーチクルボード（各種ベニヤ合体やチップ圧縮体等の床パネル等）１０１とその上に配設した木製の無垢体、化粧合体等のフローリング１０２（無垢体、化粧合体等）とからなる。【００１２】  床下構造体２００は、大引ビーム２１０とサブビーム２２０とを適宜な着脱機構により可能に接合してなる。  大引ビーム２０１は、複数本を平行に床スラブ３００の上面両端部にある要部梁Ｘ間に渡らせた金属製で、断面形状がほぼ矩形の中空建材で構成し、側面に複数の円形の空気流通用穴２１１を切欠成形し、また側面の肩部にはサブビーム２２０との接合用の切欠部２１２を設けである。大引ビーム２０１の横断面形状は図５の（１）〜（５）に示すように上記の矩形他に、チャンネル型２１０Ａ、Ｃ型（コ字型）２１０Ｂ、Ｈ型２１０Ｃ、中間部を窪ませた変形矩形２１０Ｄ、Σ型２１０Ｅ等にしてもよい。【００１３】  サブビーム２２０は、大引ビームの配置間隔や床板体自体の強度或いは床板体の上面への荷重分布等によっては配置する必要がない場合がある。本例では、大引ビーム２１０の側面の上部間に平行に配置し、下面開放型の横断面がコ字型の金属製建材であり、その両側には左右に下向きの接合用のフック２２１を一体的に形成してある。サブビーム２２０の横断面形状は上記のコ字型の他に、大引ビーム同様にチャンネル型、Σ型、Ｈ型、中間部を窪ませた変形矩形、Ｃ型、Ｙ型等にしてもよい。【００１４】  大引ビーム２１０とサブビーム２２０との接合は、本例では、大引ビーム２１０の鍵型「の切欠部２１２にサブビーム２２０のフック２２１を上から挿入して着脱可能に嵌めて接続するが、ビス止め、ボルトとナット止め等の他の適宜な接合手段を採用する。  本例の床下構造体２００は、大引ビーム２１０とその高さ内にサブビーム２２０を組み立て施工が簡便な着脱可能に配置した構成にしたので床下構造体２００の高さは大引ビーム２１０の高さに集約されて低い軽量堅牢な構造体にすることができる。このため新築建造物では、床スラブ２００の軽量化を可能にし、床スラブ３００のコストを大幅に低減可能にし、リフォーム建造物では、床スラブ２００を現状維持可能にして施工できる。【００１５】  この床下構造体２００は、大引ビーム２１０とその高さ内にサブビーム２２０を組み立て施工が簡便な着脱可能に配置した構成にしたので床下構造体２００の高さは大引ビーム２１０の高さ以内に集約されて低い軽量堅牢な構造体にすることができる。このため新築建造物では、床スラブ３００の軽量化を可能にし、床スラブ３００のコストを大幅に低減可能にし、リフォーム建造物では、環境対策上、床スラブ３００を現状維持可能にして施工できる等の画期的に優れた効果を呈するものである。【００１６】次に、大引ビーム２１０と床板体１００との上振動絶縁接続部は、弾性緩衝体である耐圧耐振動性のある合成樹脂ゴム４１０で構成してある。耐合成樹���ゴム４１０は図１では大引ビーム２１０の端部側を一部省略して下の大引ビーム２１０の上面が見えるようにしてある。合成樹脂ゴム４１０は上面フラット４１１にしてここで床板体１００の下面を接着接合して載置支持し、下面のフラット面部４１２を大引ビーム２１０上面に接着接合して非干渉的に載置支持し制振性と歩行性を向上させる。またこの大引ビーム２１０の上面をフラットな面取りとしてあるのでパーティクルやフローリング等からなる床板体１００の施工性を向上させる。【００１７】  大引ビーム２１０の下部と床スラブ３００上面との下振動絶縁接続部は、制振・遮音装置５００とビーム中間制振・遮音装置６００とからなる。  制振・遮音装置５００は、大引ビーム２１０の長手方向の両側部に配置され、前記大引ビーム２１０の下部を弾性緩衝体５０１を介して載置支持するビーム載置座面５０２を有し、ビーム載置座面５０２の両側部の各々に上部をナット５０３で螺合装着する一対の座脚５０４を有し、この各座脚５０４の下部にナット５０５で螺合装着し床スラブ３００との間に弾性緩衝体５０６を接着接合したπ型台座５０７を有してなる。ビーム載置座面５０２はナット５０３、５０５の適宜な締め位置調節により大引ビーム２１０支持高さ位置を調節してビーム間のレベリングを行うと同時に床スラブ３００上面との不陸を皆無にする。  この制振・遮音装置５００は、大引ビーム２１０からの左右上下等の振動を弾性緩衝体５０１、ビーム載置座面５０２、一対の座脚５０４、弾性緩衝体５０６、π型台座５０７を順次介して分散暫減の吸収緩衝して床スラブ３００への伝播を防止すると共に床下構造体２００と床板体１００の全荷重及び振動を均等に分散負担して吸収緩衝し床スラブ３００を介して梁Ｘへの荷重負荷を大幅に軽減する。  制振・遮音装置５００のビーム載置座面５０２は、逆π型載置金物にしたため、その中央部の凹部に弾性緩衝体５０１を介して大引ビーム２１０の下部を載置支持して優れた弾性クッション機能を発揮する。台座５０５はπ型受け座としその中央部の凹部内で座脚５０３の下部と螺合接続したため優れた弾性クッション機能を有する。  また本例において、前記制振・遮音装置の台座５０７を繋ぎアーム５１０で連結して所謂４リンク支持構造体することにより、床スラブと大引ビーム間の隙間を若干大きくした際又は床板体上に重量物を載置する際の、座屈や末広がり変形等を確実に防止し制振機能及び遮音機能そして歩行性能を正常に維持するものである。【００１８】  ビーム中間制振・遮音装置６００は、大引ビーム２１０の両側部の間に所定間隔で配置され、大引ビームの下面に上部をナット６０１で螺合接合により装着するボルト状の脚部６０２を有し、脚部６０２の下部にナット６０３での螺合接合により装着し床スラブ３００との間にサイド孔６０４から弾性緩衝体６０５を充填介設した断面π型の台座６０６を有してなる．  このビーム中間制振・遮音装置６００は、ナット６０１とナット６０３の適宜な締め位置調節により大引ビーム２１０支持高さ位置を調節してビーム間のレベリングを行うと同時に床スラブ３００上面との不陸を皆無にし前記制振・遮音装置５００への荷重負担を軽減する。また大引ビーム２１０の中間部を載置���持して左右上下振動を吸収緩衝して床スラブへの騒音と振動の伝播を防止すると共に、大引ビーム２１０の撓みを防止する。  ビーム中間制振・遮音装置６００に代わって、前記制振・遮音装置５００を配置してもよい。【００１９】  ビーム中間制振・遮音装置６００は、大引ビーム２１０の撓みを防止すると共に床板体から弾性緩衝体を介して大引ビームに伝わる微小な上下左右等の揺動を吸収して歩行性能を向上させると同時に床スラブへの振動や騒音の伝播を遮断するものである。また床スラブ３００と大引ビーム２１０との間に空気が流通する広域の隙間を形成し、前記大引ビーム２１０の空気流通用穴２１１と共に大引ビーム２１０間の空間を連通開放して振動や騒音及び反響音を低減してその共鳴や増幅を防止する。  大引ビーム２１０の空気流通用穴２１１は、設備配管、空調用の空気口等として活用することができる。【００２０】  このようにして、本発明は、床スラブ上に床下構造体と床板体を非干渉型にして配置した所謂非干渉型二重床構造体であり、制振性能、遮音性能及び歩行性能を著しく向上させる。
【産業上の利用可能性】
【００２１】  本発明は、前述に紹介したすぐれた効果によって、次に紹介するように建造物の建築施工産業界への貢献は多大なものがあります。〇二重床でありながら約１３８ｍｍからの低床化を実現し、○振動を伝える媒体となる束を皆無にして音の伝播を低減し、○遮音性能を床スラブ厚に頼ることなく、構造的には必要のないスラブ厚の増加を防ぎ、建物全体の軽量化が図れ、○躯体工事費は、床スラブを１３５ｍｍと軽量化にした場合、建造物の柱、梁、基礎等も削減でき躯体コストは均質単体スラブ（厚み１５０ｍｍ，１８０ｍｍ，２００ｍｍ）やポイドスラブ、アンポイドＰＣスラブとの比較で８〜３０％の低減が図れ、○設備工事費は、設備配線、配管の躯体内への打ち込みを無くし異業種の共同作業を削減し、○設備配線、配管の露出配置が可能で、メンテナンスが容易に行え、その労力、時間、費用を軽減しコスト面の負担を大きく軽減し、○躯体と居住床を分離する発想は、メンテナンスや生活環境の変化にも容易に対応することができるため、国土交通省が進めるＳＩ住宅そのものの発想と共通し長期優良住宅（建設寿命＝躯体寿命）の発想に繋がり、○このようにして高耐久性住宅化の実現は建物を長く安全に活用でき、ライフサイクルコストの削減に大きく貢献する。
【符号の説明】
【００２２】１００：床板体１０１：パーチクルボード１０２：フローリング２００：床下構造体２１０、２１０Ａ、２１０Ｂ、２１０Ｃ、２１０Ｄ、２１０Ｅ：大引ビーム２２０：サブビーム２１１：空気流通用穴２１２：接合用の切欠部２２１：接合用のフック３００：床スラブ４１０：弾性緩衝体５００：制振・遮音装置５１０：繋ぎアーム６００：ビーム中間制振・遮音装置
【図１】
2012122316.tif 000003
【図２】
2012122316.tif 000004
【図３】
2012122316.tif 000005
【図４】
2012122316.tif 000006
【図５】
2012122316.tif 000007
【図６】
2012122316.tif 000008